(57)【要約】【課題】カラー画像データの記録処理実行中に新たに記録処理要求を受けた場合、その新規原稿がカラーであっても適切な処理を行いメモリオーバーのエラーの発生を防止する画像読取記録装置を提供すること。【解決手段】原稿の画像を読み取る読取手段と、読み取られた画像データを記録紙に記録する記録手段と、読取手段によって読み取られる原稿がカラーの原稿であるか否かを判別する判別手段と、カラー画像の記録動作中に新規原稿のコピー実行命令があり、判別手段によってその新規原稿がモノクロであると判別された場合は、原稿の画像の読み取りを開始させ、一方、カラーであると判別された場合は、前記カラー画像の記録動作が完了するまでカラーの原稿の読み取りを受け付けない旨の警告を報知手段により報知させる制御を行う制御手段と、を備えた画像読取記録装置１。【選択図】      図３
2004180095.tif 000002
【特許請求の範囲】
【請求項１】
原稿の画像を読み取る読取手段と、該読取手段によって読み取られた画像データを記録紙に記録する記録手段と、前記読取手段によって読み取られる原稿がカラーの原稿であるか否かを判別する判別手段と、前記記録手段によるカラー画像の記録動作中に新規原稿のコピー実行命令があり、前記判別手段によってその新規原稿がモノクロの原稿であると判別された場合は、前記読取手段に画像の読み取りを開始させ、その新規原稿がカラーの原稿であると判別された場合は、前記記録手段におけるカラー画像の記録動作が完了するまでカラーの原稿の読み取りを受け付けない旨の警告を報知手段により報知させる制御を行う制御手段と、を備えたことを特徴とする画像読取記録装置。
【請求項２】
前記制御手段は、前記警告と共に新規原稿の画像をモノクロ画像に変換して記録するか否かの選択を要求する情報を前記報知手段により報知させ、モノクロ画像に変換する選択がなされた場合には前記読取手段によって前記新規原稿の画像を読み取らせると共に変換手段によりその画像をモノクロ画像に変換させて前記記録手段により記録紙に記録させる制御を行うことを特徴とする請求項１記載の画像読取記録装置。
【発明の詳細な説明】
【０００１】
【発明の属する技術分野】
本発明は、画像読取記録装置に関し、詳しくは読み取った原稿の画像を記録紙に記録する画像読取記録装置に関するものである。
【０００２】
【従来の技術】
原稿の画像データの記録処理実行中に、新たに別の画像データの記録処理要求を受けた場合、その新規画像データを一時的にメモリに蓄積し、実行中の記録処理が完了した時点で、メモリに蓄積した新規原稿の画像データの記録処理を行う、いわゆる原稿蓄積機能を備えた画像読取記録装置がある。また、カラー画像に対応した装置もあり、カラー画像に対応した画像読取記録装置では、画像データの記録処理実行中に、新たに別の画像データの記録処理要求を受けた場合、新規画像データがモノクロであれば上記したような原稿蓄積機能による記録処理が行われる。
【０００３】
なお、記録処理実行中にカラー画像データが送信されてきた場合に、同通信セッションにおいて、所定のプロトコル信号を送出し、発信元に対して、同じ原稿のモノクロ画像データの送信を要求することによって、同じ内容の白黒原稿を取得する機能を備えたファクシミリ装置がある（例えば、特許文献１参照。）。
【０００４】
【特許文献１】
特開平９−１３９８２６号公報（第４−５頁、第２図）
【０００５】
【発明が解決しようとする課題】
上記カラー画像に対応した画像読取記録装置では、カラー画像データの記録処理実行中に、新たに別の画像データの記録処理要求を受けたときに、その新規画像データがカラーであれば、蓄積される画像データのデータサイズはモノクロ画像データに比べて大きく、装置自身にカラー画像データを蓄積できるだけのメモリが確保されていないことから、メモリオーバーのエラーが発生するため、ユーザは煩わしいエラー解除処理を行わなければならない。
【０００６】
本発明は上記課題に鑑みてなされたものであり、カラー画像データの記録処理実行中に新たに記録処理要求を受けた場合に、その新規原稿がカラーであっても適切な処理を行いメモリオーバーのエラーの発生を防止する画像読取記録装置を提供することを目的とする。
【０００７】
【課題を解決するための手段】
上記目的を達成するために、請求項１記載の画像読取記録装置は、原稿の画像を読み取る読取手段と、該読取手段によって読み取られた画像データを記録紙に記録する記録手段と、前記読取手段によって読み取られる原稿がカラーの原稿であるか否かを判別する判別手段と、前記記録手段によるカラー画像の記録動作中に新規原稿のコピー実行命令があり、前記判別手段によってその新規原稿がモノクロの原稿であると判別された場合は、前記読取手段に画像の読み取りを開始させ、その新規原稿がカラーの原稿であると判別された場合は、前記記録手段におけるカラー画像の記録動作が完了するまでカラーの原稿の読み取りを受け付けない旨の警告を報知手段により報知させる制御を行う制御手段と、を備えたことを特徴としている。
【０００８】
請求項２記載の画像読取記録装置は、請求項１記載の画像読取記録装置において、前記制御手段は、前記警告と共に新規原稿の画像をモノクロ画像に変換して記録するか否かの選択を要求する情報を前記報知手段により報知させ、モノクロ画像に変換する選択がなされた場合には前記読取手段によって前記新規原稿の画像を読み取らせると共に変換手段によりその画像をモノクロ画像に変換させて前記記録手段により記録紙に記録させる制御を行うことを特徴としている。
【０００９】
【発明の実施の形態】
以下、画像読取記録装置をコピー機能、ファクシミリ機能、インターネットファクシミリ機能等を有する複合機に適用した場合について図面に基づき説明する。図１に示すように、画像読取記録装置１は、制御部（ＭＰＵ：Ｍｉｃｒｏｐｒｏｃｅｓｓｉｎｇ  Ｕｎｉｔ）２、ＲＯＭ（Ｒｅａｄ  Ｏｎｌｙ  Ｍｅｍｏｒｙ）３、ＲＡＭ（Ｒａｎｄｏｍ  Ａｃｃｅｓｓ  Ｍｅｍｏｒｙ）４、操作部５、表示部６、原稿読取部７、判別回路８、変換回路９、メモリ管理回路１０、画像メモリ１１、コーデック１２、記録部１３、スピーカ１４、通信部１５及びＬＡＮ  Ｉ／Ｆ（Ｌｏｃａｌ  Ａｒｅａ  Ｎｅｔｗｏｒｋ  Ｉｎｔｅｒｆａｃｅ）１８を備えたものであって、各部２乃至１８は、バス１９によって通信可能に接続されている。
【００１０】
制御部２は、所定のプログラムに従ってこの画像読取記録装置１を構成する各部を制御するものである。
【００１１】
ＲＯＭ３は、制御部２によりこの画像読取記録装置１の各部の動作が制御されるための各種プログラムを記憶しており、このＲＯＭ３に記憶されている各種プログラムとこれに従って動作する制御部２が制御手段として機能する。なお、ＲＯＭ３に記憶されているプログラムは、例えば、原稿読取部７に載置された原稿がカラーの原稿であるか否かを判別するための判別処理プログラムや、原稿読取部７で読み取られた画像データに対し記録部１３で記録紙に記録されるまでに行われる色補正、色変換などを行うための画像処理プログラムである。
【００１２】
ＲＡＭ４は、登録されたファクシミリ番号、メールアドレス、カラーの原稿の読み取りを受け付けない旨の警告及び新規原稿の画像をモノクロ画像に変換して記録するか否かの選択を要求する情報を、液晶表示装置６ａに表示させるための表示用出力データ等を予め記憶している。また、ＲＡＭ４は、判別回路８によって判別された原稿の画像がカラーであるか否かの情報等の諸データを一時的に記憶する記憶部としても機能する。
【００１３】
操作部５は、ファクシミリ番号、記録部数等を入力するためのテンキー、原稿読取部７に載置された原稿のコピー実行命令及びファクシミリ送信を指示するためのスタートキー、各種設定を行うためのカーソルキー等から構成される操作キーを具備している。なお、カラー画像の記録動作中に新規原稿のコピー実行命令があり、その新規原稿がカラーの原稿であると判別された場合、その新規原稿の画像を読み取ってモノクロ画像に変換して記録させるか否かの選択はこの操作部５において行われる。
【００１４】
表示部６は、この画像読取記録装置１の状態に関する情報、各種操作指示入力画面、設定状態、動作状態等を表示する液晶表示装置６ａ及びＬＥＤランプ６ｂを具備している。また、液晶表示装置６ａは制御部２の制御命令に従って、ＲＡＭ４に記憶されている表示用出力データを表示する。
【００１５】
原稿読取部７は、自動原稿給送部（ＡＤＦ：Ａｕｔｏｍａｔｉｃ  Ｄｏｃｕｍｅｎｔ  Ｆｅｅｄｅｒ）及びフラットベッド読取部（ＦＢＳ：Ｆｌａｔ  Ｂｅｄ  Ｓｃａｎｎｅｒ）を備えており、カラーＣＣＤ（Ｃｈａｒｇｅ  Ｃｏｕｐｌｅｄ  Ｄｅｖｉｃｅ）により原稿の画像の読み取りを行う読取手段として機能する。なお、この原稿読取部７は、制御部２の制御命令に従って原稿の予備走査を行い、この予備走査によって得られた原稿の画像情報は判別回路８へと送出される。
【００１６】
判別回路８は、原稿読取部７で行われる予備走査によって得られた原稿の画像情報から、原稿読取部７に載置された原稿がカラーの原稿であるか否かを判別する判別手段として機能する。
【００１７】
変換回路９は、図１及び図２に示すように、第１変換回路９ａ及び第２変換回路９ｂを備えている。第１変換回路９ａは、原稿読取部７で読み取られたＲＧＢ表色系の画像データに対しシェーディング補正、ライン補正の入力色補正を行うと共に、そのＲＧＢ表色系の画像データＸ１をＬ＊ａ＊ｂ＊表色系の画像データＸ２へと入力色変換し、入力色変換された画像データＸ２に対し拡大縮小、地色補正の処理を行う回路であり、制御部２からの制御命令に従って原稿読取部７で読み取られた原稿のカラー画像データをモノクロ画像データに変換する変換手段としても機能する。第２変換回路９ｂは、第１変換回路９ａでＬ＊ａ＊ｂ＊表色系に変換された画像データＸ２をＫ（ブラック）、Ｃ（シアン）、Ｍ（マゼンタ）、Ｙ（イエロー）の出力表色系へと出力色変換すると共にその出力色変換した画像データＸ３に誤差拡散処理等を行って二値化する処理を行う回路である。
【００１８】
メモリ管理回路１０は、多値メモリ管理回路１０ａ及び二値メモリ管理回路１０ｂを具備している。多値メモリ管理回路１０ａは、第１変換回路９ａで処理された画像データを多値メモリ１１ｂに蓄積すると共に、多値メモリ１１ｂに蓄積されている画像データを第２変換回路９ｂ又はコーデック１２ｂに出力する管理を行う回路である。二値メモリ管理回路１０ｂは、第２変換回路９ｂで出力色変換され二値化された画像データ又はコーデック１２ａで復号化された画像データを二値メモリ１１ｃに蓄積すると共に、二値メモリ１１ｃに蓄積されている画像データをコーデック１２ａ又は記録部１３へ出力する管理を行う回路である。
【００１９】
画像メモリ１１は、符号化メモリ１１ａ、多値メモリ１１ｂ及び二値メモリ１１ｃから構成されている。符号化メモリ１１ａは、ファクシミリ受信した画像データ、クライアントＰＣ（Ｐｅｒｓｏｎａｌ  Ｃｏｍｐｕｔｅｒ）２２から受信した画像データ、原稿読取部７で読み取られた画像データ等を一時的に記憶するメモリである。多値メモリ１１ｂは、第１変換回路９ａでＬ＊ａ＊ｂ＊表色系に変換された多値の画像データを一時的に記憶するメモリである。二値メモリ１１ｃは、第２変換回路９ｂで出力色変換され二値化された画像データ又はコーデック１２ａで復号化された画像データを一時的に記憶するメモリである。
【００２０】
コーデック１２は、図２に示すようにコーデック１２ａ及び１２ｂから構成されており、画像データを所定のプロトコルに対応して符号化（エンコード）・復号化（デコード）するものである。コーデック１２ａは二値メモリ１１ｃに蓄積されている画像データをＭＨ（Ｍｏｄｉｆｉｅｄ  Ｈｕｆｆｍａｎ）、ＭＲ（Ｍｏｄｉｆｉｅｄ  Ｒｅａｄ）、ＭＭＲ（Ｍｏｄｉｆｉｅｄ  Ｍｏｄｉｆｉｅｄ  Ｒｅａｄ）方式等により符号化し、符号化メモリ１１ａに蓄積されている画像データを記録紙に記録するために記録部１３の記録動作に合わせて復号化するものであり、電子メールに添付可能なファイルとして一般的に利用される画像フォーマットであるＴＩＦＦ（Ｔａｇｇｅｄ  Ｉｍａｇｅ  Ｆｉｌｅ  Ｆｏｒｍａｔ）方式にも対応して符号化、復号化する。コーデック１２ｂは、原稿読取部７で読み取られた画像データをクライアントＰＣ２２に送出する場合に、多値メモリ１１ｂに蓄積されている画像データをＪＰＥＧ（Ｊｏｉｎｔ  Ｐｈｏｔｏｇｒａｐｈｉｃ  Ｅｘｐｅｒｔｓ  Ｇｒｏｕｐ）方式に対応して符号化する。
【００２１】
記録部１３は、例えば電子写真方式のものからなり、原稿読取部７で読み取られた画像データ、ファクシミリ受信した画像データ、クライアントＰＣ２２から受信した画像データ等を記録紙に記録する記録手段として機能する。
【００２２】
スピーカ１４は、制御部２の制御命令に従って警告音を鳴動させてカラー画像の記録動作が完了するまでカラーの原稿の読み取りを受け付けない旨の警告を報知する報知手段として機能する。また、スピーカ１４は、前記報知手段として警告音を鳴動させる他、紙詰まり、通信エラー、紙切れ等のエラーが発生した際にもその旨を報知するために警告音を鳴動させる。なお、後に詳述するが、前記画像読取記録装置１は、前記報知手段としてスピーカ１４の他に、その旨を表示する液晶表示装置６ａと、点灯することでその旨を報知するＬＥＤランプ６ｂを備えている。
【００２３】
通信部１５は、モデム１６及びＮＣＵ（Ｎｅｔｗｏｒｋ  Ｃｏｎｔｒｏｌ  Ｕｎｉｔ）１７を備えている。モデム１６は、例えばＩＴＵ−Ｔ（国際電気通信連合電気通信標準化部門）の勧告Ｖ．３４規格又はこれと同様のものに従った送受信データの変調及び復調を行うものである。ＮＣＵ１７は、電話回線を制御して電話をかけたり、切ったりする回線網制御装置であり、ＰＳＴＮ（Ｐｕｂｌｉｃ  Ｓｗｉｔｃｈｅｄ  Ｔｅｌｅｐｈｏｎｅ  Ｎｅｔｗｏｒｋ）２０に接続されている。
【００２４】
ＬＡＮＩ／Ｆ１８は、ＬＡＮ（Ｌｏｃａｌ  Ａｒｅａ  Ｎｅｔｗｏｒｋ）２１とのインターフェイスを備えており、この画像読取記録装置１と同じくＬＡＮ２１に接続されたクライアントＰＣ２２、メールサーバ２３、ルータ２４との通信が可能である。
【００２５】
複合機として上記構成を備えた画像読取記録装置１によれば、コピー機能によって原稿読取部７で読み取った画像データを記録紙に記録することができるほか、ファクシミリ機能によってＰＳＴＮ２０を通じて他のＧ３ファクシミリ装置（不図示）とファクシミリ送受信し、インターネットファクシミリ機能によってインターネット２５を通じて他のインターネットファクシミリ装置等（不図示）と原稿の画像データが添付された電子メールを送受信することができるようになっている。
【００２６】
以下、原稿読取部７において読み取られた原稿の画像データに対し、その画像データが記録紙に記録されるまでに行われる画像処理のデータ転送の流れについて図２に基づいて説明する。
【００２７】
原稿読取部７によって読み取られた原稿の画像データは、ＡＤコンバータ（不図示）によってデジタル信号に変換され、第１変換回路９ａによって画像処理が施された後、多値メモリ１１ｂに蓄積される。すなわち、デジタル信号に変換された画像データに対し、第１変換回路９ａによって処理Ｃ１としてシューディング補正、ライン補正及びずれ補正の入力色補正が行われ、続いて処理Ｔ１としてＲＧＢ表色系の画像データＸ１から、例えば、Ｌ＊ａ＊ｂ＊表色系の画像データＸ２へと入力色変換され、更に処理Ｃ４として拡大、縮小、地色補正等が施された後、多値メモリ管理回路１０ａによって多値メモリ１１ｂに蓄積されるが、原稿読取部７で読み取られたカラー画像をモノクロ画像に変換して記録紙に記録する場合には、処理Ｃ４においてＬ＊ａ＊ｂ＊表色系の画像データからＬ＊成分のみが抽出され、モノクロ画像として記録するための所定の画像処理が行われて多値メモリ１１ｂに蓄積される。
【００２８】
多値メモリ１１ｂに蓄積された画像データは、所定のライン数、例えば、１００ラインの画像データが多値メモリ１１ｂに蓄積された時点で多値メモリ管理回路１０ａによって読み出され、第２変換回路９ｂへと送られて処理Ｔ２としてＬ＊ａ＊ｂ＊表色系の画像データＸ２から記録紙に記録するためのＫＣＭＹ表色系の画像データＸ３へと出力色変換される。すなわち、多値メモリ管理回路１０ａは、第１変換回路９ａにおいて処理された画像データを多値メモリ１１ｂに蓄積する処理と、該多値メモリ１１ｂに蓄積された画像データを読み出して第２変換回路９ｂへ送出する処理を同時に行う。これは、原稿読取部７により原稿の読み取りが開始されてから、その読み取られた画像データが第２変換回路９ｂによって出力色変換されるまでにかかる時間をできるだけ短くするためである。
【００２９】
第２変換回路９ｂによって処理Ｔ２としてＫＣＭＹ表色系に変換された画像データＸ３は、処理Ｃ５として誤差拡散処理等が施されて二値化された後、二値メモリ管理回路１０ｂによって二値メモリ１１ｃに蓄積される。二値メモリ１１ｃに蓄積されたＫＣＭＹ表色系の画像データＸ４は、多値メモリ１１ｂ同様、所定のライン数の画像データが二値メモリ１１ｃに蓄積された時点で二値メモリ管理回路１０ｂによって読み出され、コーデック１２ａへと送られて符号化された後、符号化メモリ１１ａに蓄積される。
【００３０】
符号化メモリ１１ａに蓄積された画像データは、記録部１３の記録動作に合わせてコーデック１２によって所定のタイミングで復号化された後、二値メモリ管理回路１０ｂによって二値メモリ１１ｃに蓄積される。そして、二値メモリ１１ｃに蓄積された画像データは、ＫＣＭＹの各色毎に記録紙に記録するのに必要なページ分の復号化が完了し二値メモリ１１ｃに蓄積された段階で二値メモリ管理回路１０ｂによって二値メモリ１１ｃから読み出され、記録部１３へと送られる。その後、記録部１３において処理Ｃ３として白マスク、スムージング等の処理が施された後、記録紙に記録される。
【００３１】
次に、画像読取記録装置１において、カラー画像の記録動作中に新規原稿のコピー実行命令があったとき、画像読取記録装置１が上記の画像処理のデータ転送に従って実行する処理動作について図３に基づいて説明する。
【００３２】
まず、ユーザによって原稿読取部７に新規原稿がセットされ操作部５の図示しないスタートキーが押下されることにより、コピー実行命令を受けた場合（Ｓ１：ＹＥＳ）、制御部２は、記録部１３において画像の記録動作中であるか否かを判断する（Ｓ２）。制御部２は、記録部１３において画像の記録動作中ではないと判断した場合（Ｓ２：ＮＯ）、原稿読取部７に新規原稿の画像の読み取りを開始させ、読み取られた画像データを記録部１３によって記録紙に記録させる（Ｓ１１）。なお、この場合、記録部１３は記録動作中ではないため、Ｓ１１において原稿読取部７で読み取られる新規原稿がカラーの原稿であるか否かに関わらず、制御部２は、原稿読取部７に原稿の読み取りを開始させ、読み取った画像データを記録部１３によって記録紙に記録させる。
【００３３】
一方、制御部２は、記録部１３において画像の記録動作中であると判断した場合（Ｓ２：ＹＥＳ）、記録部１３において記録動作中の画像がカラーであるかモノクロであるかを判断する（Ｓ３）。記録部１３において記録動作中の画像がモノクロであると判断した場合（Ｓ３：モノクロ）、制御部２は原稿読取部７に新規原稿の読み取りを開始させ、その読み取られた画像データをコーデック１２により符号化して符号化メモリ１１ａに蓄積させる（Ｓ９）。そして、制御部２は、記録部１３におけるモノクロ画像の記録動作が完了した後、符号化メモリ１１ａに蓄積されている新規原稿の画像データをコーデック１２により復号化させ記録部１３によって記録紙に記録させる（Ｓ１０）。
【００３４】
制御部２は、記録部１３において記録動作中の画像がカラーであると判断した場合（Ｓ３：ＹＥＳ）、原稿読取部７に新規原稿の予備走査を行わせ、その予備走査により得られた画像情報に基づいて判別回路８に新規原稿の画像がカラーであるかモノクロであるかを判別させる（Ｓ４）。判別回路８が新規原稿の画像がモノクロであると判別した場合（Ｓ４：モノクロ）、原稿読取部７に新規原稿の読み取りを開始させ、その読み取られた画像データをコーデック１２により符号化して符号化メモリ１１ａに蓄積させる（Ｓ９）。そして、制御部２は、記録部１３によるカラー画像の記録動作が完了した後、符号化メモリ１１ａに蓄積されている新規原稿の画像データをコーデック１２により復号化して記録部１３によって記録紙に記録させる（Ｓ１０）。
【００３５】
一方、判別回路８がその新規原稿の画像がカラーであると判別した場合（Ｓ４：カラー）、制御部２は記録部１３におけるカラー画像の記録動作が完了するまで原稿の読み取りを受け付けない旨の警告と共にその新規原稿を読み取ってモノクロ画像に変換して記録するか否かの選択を要求する情報を報知手段により報知させる（Ｓ５）。具体的には、「カラーコピーはできません」、「モノクロ画像に変換してコピーしますか？」等の表示用出力データをＲＡＭ４から読み出して液晶表示装置６ａに表示させ、ＬＥＤランプ６ｂを点灯させ、スピーカ１４から警告音を鳴動させることによってその旨を報知する。
【００３６】
ユーザによる操作部５からの所定の操作によってカラーの新規原稿を読み取ってモノクロ画像に変換する選択がなされた場合には（Ｓ６：ＹＥＳ）、制御部２は、原稿読取部７にカラーの新規原稿の読み取りを開始させ、そのカラー画像データを第１変換回路９ａにおける処理Ｃ４でモノクロ画像データに変換させた後、コーデック１２ａにより符号化して符号化メモリ１１ａに蓄積させる（Ｓ７）。そして、記録部１３におけるカラー画像の記録動作が完了した後、制御部２は符号化メモリ１１ａに蓄積されている新規原稿のモノクロ画像データをコーデック１２ａにより復号化させ記録部１３によって記録紙に記録させる（Ｓ８）。一方、記録部１３におけるカラー画像の記録動作が完了するまでにカラーの新規原稿を読み取ってモノクロ画像に変換する選択がなされなかった場合（Ｓ６：ＮＯ）、記録部１３におけるカラー画像の記録動作完了後、待機状態に戻る。
【００３７】
以上説明したように、記録部１３においてカラー画像の記録動作が行われているときに新規原稿のコピー実行命令があった場合、その新規原稿がモノクロの原稿であれば画像の読み取りを開始し、その新規原稿がカラーの原稿であるときにはカラーコピーを受け付けない旨の警告を報知するため、カラー画像の記録動作中にメモリオーバーが発生することを防止することができる。また、ユーザによってモノクロ画像に変換する選択がなされたときには、記録部１３によるカラー画像の記録動作中であっても、カラーの新規原稿をモノクロ画像に変換して蓄積し、カラー画像の記録動作完了後に記録することが可能である。
【００３８】
【発明の効果】
請求項１記載の画像読取記録装置によれば、カラー画像の記録動作中に新規原稿のコピー実行命令があったときには、その新規原稿がカラーかモノクロかを判別し、その新規原稿がカラーであると判別した場合にはカラー画像の記録動作が完了するまで原稿の読み取りを受け付けない旨の警告を報知するので、カラー画像の記録動作中にメモリオーバーのエラーが発生することはなく、従来例に係る装置のように、ユーザにとって煩わしいメモリオーバーのエラー解除を行う必要がなくなる。
【００３９】
請求項２記載の画像読取記録装置によれば、カラー画像の記録動作中にカラーの新規原稿のコピー実行命令があったときには、モノクロ画像に変換して記録するか否かの選択を要求する情報を報知するため、ユーザによってモノクロ画像に変換する選択がなされた場合には、カラーの新規原稿を読み取ってモノクロ画像データに変換して蓄積することができるため、カラー画像の記録動作完了後、即座にカラーの新規原稿の画像をモノクロ画像として記録することが可能であるため、例えば、モノクロコピーをしても問題がないカラー原稿をコピーする場合に有用である。
【図面の簡単な説明】
【図１】ＬＡＮ及びＬＡＮに接続された本発明の実施の形態に係る画像読取記録装置の内部構成の一例を示したブロック図である。
【図２】原稿読取部で読み取られた原稿の画像データに対して行われる画像処理のデータ転送の流れを示した図である。
【図３】コピー実行命令があった際に行われる画像読取記録装置の処理動作を説明するためのフローチャートである。
【符号の説明】
１  画像読取記録装置
２  制御部（ＭＰＵ）
３  ＲＯＭ
５  操作部
６ａ  液晶表示装置
６ｂ  ＬＥＤランプ
７  原稿読取部
８  判別回路
９ａ  第１変換回路
１１ａ  符号化メモリ
１２  コーデック
１３  記録部
１４  スピーカ
【図１】
2004180095.tif 000003
【図２】
2004180095.tif 000004
【図３】
2004180095.tif 000005